(57)【要約】【課題】  乗車イベントの際の乗員による持ち込み水分量に応じて、空調装置の換気能力を高くすることを可能とすること。【解決手段】空調制御システムは、空調装置と、車両の位置における気象情報を取得する気象情報取得部と、乗車イベント検出部と、乗車イベント検出部により乗車イベントが検出された場合に、気象情報に基づいて、乗車イベントの際の車両内への乗員による持ち込み水分量であって、車両の外部環境に起因した持ち込み水分量が、所定レベルを超えるか否かを判定する判定部であって、制御情報が第１状態であるときに持ち込み水分量が所定レベルを超えると判定した場合に、制御情報を第２状態に変更する判定部と、空調装置を制御する制御部とを含み、制御部は、制御情報が第２状態である場合、制御情報が第１状態である場合に比べて、空調装置の換気能力を高くする。【選択図】図１
2017226397.tif 000002
【特許請求の範囲】
【請求項１】
車両に設けられる空調制御システムであって、
空調装置と、
前記空調装置の制御に関する制御情報を記憶する記憶部と、
前記車両の位置における気象情報を取得する気象情報取得部と、
前記車両への乗員の乗車イベントを検出する乗車イベント検出部と、
前記乗車イベント検出部により前記乗車イベントが検出された場合に、前記気象情報に基づいて、前記乗車イベントの際の前記車両内への前記乗員による持ち込み水分量であって、前記車両の外部環境に起因した持ち込み水分量が、所定レベルを超えるか否かを判定し、判定結果に基づいて前記制御情報を変更する判定部と、
前記空調装置を制御する制御部とを含み、
前記判定部は、前記制御情報が第１状態であるときに前記持ち込み水分量が前記所定レベルを超えると判定した場合、前記制御情報を第２状態に変更し、
前記制御部は、前記制御情報が前記第２状態である場合、前記制御情報が前記第１状態である場合に比べて、前記空調装置の換気能力を高くする、空調制御システム。
【請求項２】
車両に搭載される車載装置と、前記車両とは遠隔に配置され、前記車載装置との間の双方向の通信が可能な情報処理装置と、を含む空調制御システムであって、
前記車載装置は、空調装置と、通信部と、前記空調装置を制御する制御部とを含み、
前記情報処理装置は、
前記空調装置の制御に関する制御情報を記憶する記憶部と、
前記車両の位置における気象情報を取得する気象情報取得部と、
前記車両への乗員の乗車イベントを検出する乗車イベント検出部と、
前記乗車イベント検出部により前記乗車イベントが検出された場合に、前記気象情報に基づいて、前記乗車イベントの際の前記車両内への前記乗員による持ち込み水分量であって、前記車両の外部環境に起因した持ち込み水分量が、所定レベルを超えるか否かを判定し、判定結果に基づいて前記制御情報を変更する判定部と、
通信装置とを含み、
前記情報処理装置の前記判定部は、前記制御情報が第１状態であるときに前記持ち込み水分量が前記所定レベルを超えると判定した場合、前記制御情報を第２状態に変更し、
前記情報処理装置の前記通信装置は、前記制御情報が前記第１状態である場合に、第１所定信号を前記車両に送信し、前記制御情報が前記第２状態である場合に、第２所定信号を前記車両に送信し、
前記車載装置の前記制御部は、前記通信部が前記第２所定信号を受信する場合、前記通信部が前記第１所定信号を受信する場合に比べて、前記空調装置の換気能力を高くする、空調制御システム。
【請求項３】
前記判定部は、前記気象情報が示す気象であって前記乗車イベントの際の気象が雨又は雪である場合に、前記持ち込み水分量が前記所定レベルを超えると判定する、請求項１又は２に記載の空調制御システム。
【請求項４】
前記判定部は、前記乗車イベントの際の前記車両の位置の属性であって、駐車場に関する属性を表す属性情報に更に基づいて、前記持ち込み水分量が前記所定レベルを超えるか否かを判定する、請求項１又は２に記載の空調制御システム。
【請求項５】
前記判定部は、更に、前記制御情報を前記第２状態に変更した後、前記気象情報が示す気象であって前記車両の現在位置における気象が雨又は雪でない時間の積算値を更新し、更新した前記積算値に基づいて、前記制御情報を前記第１状態に戻す、請求項１〜４のうちのいずれか１項に記載の空調制御システム。
【請求項６】
前記判定部は、更に、前記制御情報を前記第２状態に変更した後、前記車両外の温度情報及び湿度情報、並びに前記車両内の温度情報に基づいて、換気により前記車両外に放出された水分量の積算値を更新し、更新した前記積算値に基づいて、前記制御情報を前記第１状態に戻す、請求項１〜４のうちのいずれか１項に記載の空調制御システム。
【請求項７】
前記判定部は、更に、前記乗員の数に基づいて、前記制御情報が前記第２状態である継続時間を変化させる、請求項１〜４のうちのいずれか１項に記載の空調制御システム。
【請求項８】
車両とは遠隔に配置され、前記車両との間の双方向の通信が可能な情報処理装置であって、
前記車両に設けられる空調装置の制御に関する制御情報を記憶する記憶部と、
前記車両の位置における気象情報を取得する気象情報取得部と、
前記車両への乗員の乗車イベントを検出する乗車イベント検出部と、
前記乗車イベント検出部により前記乗車イベントが検出された場合に、前記気象情報に基づいて、前記乗車イベントの際の前記車両内への前記乗員による持ち込み水分量であって、前記車両の外部環境に起因した持ち込み水分量が、所定レベルを超えるか否かを判定し、判定結果に基づいて前記制御情報を変更する判定部と、
通信装置とを含み、
前記判定部は、前記制御情報が第１状態であるときに前記持ち込み水分量が前記所定レベルを超えると判定した場合、前記制御情報を第２状態に変更し、
前記通信装置は、前記制御情報が前記第２状態である場合に、所定信号を前記車両に送信し、
前記所定信号は、前記空調装置の制御部に対して、前記空調装置の換気能力を、前記制御情報が前記第１状態である場合に比べて高くさせる指令として機能する、情報処理装置。
【発明の詳細な説明】
【技術分野】
【０００１】
本開示は、空調制御システム及び情報処理装置に関する。
【背景技術】
【０００２】
リアルタイムに、車両走行中における車室内の絶対湿度の増加量及び絶対湿度の減少量の双方を別々に算出して、これらに基づいて車室内の現在の絶対湿度を算出し、算出した現在の絶対湿度に基づいて、空調装置を制御する技術が知られている（例えば、特許文献１参照）。
【先行技術文献】
【特許文献】
【０００３】
【特許文献１】特開2015-54688号公報
【発明の概要】
【発明が解決しようとする課題】
【０００４】
しかしながら、上記のような従来技術では、車両への乗員の乗車イベントが発生したときに、乗車イベントの際の車両内への乗員による持ち込み水分量であって車両の外部環境に起因した持ち込み水分量（以下、単に「持ち込み水分量」とも称する）に応じて、空調装置の換気能力を高くすることが難しい。乗車位置における気象によっては、持ち込み水分量が有意に大きくなる場合がある。例えば、乗車位置における気象が雨や雪である場合、車両に乗り込む前に乗員又はその所持物（例えば傘など）等が濡れている可能性が高く、それ故に、持ち込み水分量が、乗車位置における気象が例えば晴れである場合よりも大きい可能性が高い。
【０００５】
そこで、本発明の目的は、乗車イベントの際の乗員による持ち込み水分量に応じて、空調装置の換気能力を高くすることを可能とすることである。
【課題を解決するための手段】
【０００６】
本発明の一態様によれば、車両に設けられる空調制御システムであって、
空調装置と、
前記空調装置の制御に関する制御情報を記憶する記憶部と、
前記車両の位置における気象情報を取得する気象情報取得部と、
前記車両への乗員の乗車イベントを検出する乗車イベント検出部と、
前記乗車イベント検出部により前記乗車イベントが検出された場合に、前記気象情報に基づいて、前記乗車イベントの際の前記車両内への前記乗員による持ち込み水分量であって、前記車両の外部環境に起因した持ち込み水分量が、所定レベルを超えるか否かを判定し、判定結果に基づいて前記制御情報を変更する判定部と、
前記空調装置を制御する制御部とを含み、
前記判定部は、前記制御情報が第１状態であるときに前記持ち込み水分量が前記所定レベルを超えると判定した場合、前記制御情報を第２状態に変更し、
前記制御部は、前記制御情報が前記第２状態である場合、前記制御情報が前記第１状態である場合に比べて、前記空調装置の換気能力を高くする、空調制御システム、又は
車両に搭載される車載装置と、前記車両とは遠隔に配置され、前記車載装置との間の双方向の通信が可能な情報処理装置と、を含む空調制御システムであって、
前記車載装置は、空調装置と、通信部と、前記空調装置を制御する制御部とを含み、
前記情報処理装置は、
前記空調装置の制御に関する制御情報を記憶する記憶部と、
前記車両の位置における気象情報を取得する気象情報取得部と、
前記車両への乗員の乗車イベントを検出する乗車イベント検出部と、
前記乗車イベント検出部により前記乗車イベントが検出された場合に、前記気象情報に基づいて、前記乗車イベントの際の前記車両内への前記乗員による持ち込み水分量であって、前記車両の外部環境に起因した持ち込み水分量が、所定レベルを超えるか否かを判定し、判定結果に基づいて前記制御情報を変更する判定部と、
通信装置とを含み、
前記情報処理装置の前記判定部は、前記制御情報が第１状態であるときに前記持ち込み水分量が前記所定レベルを超えると判定した場合、前記制御情報を第２状態に変更し、
前記情報処理装置の前記通信装置は、前記制御情報が前記第１状態である場合に、第１所定信号を前記車両に送信し、前記制御情報が前記第２状態である場合に、第２所定信号を前記車両に送信し、
前記車載装置の前記制御部は、前記通信部が前記第２所定信号を受信する場合、前記通信部が前記第１所定信号を受信する場合に比べて、前記空調装置の換気能力を高くする、空調制御システムが提供される。
【０００７】
このような空調制御システムによれば、車両への乗員の乗車イベントが発生したときに、気象情報に基づいて持ち込み水分量が所定レベルを超えるか否かが判定される。そして、空調装置の制御に関する制御情報が第１状態であるときに持ち込み水分量が所定レベルを超えると判定された場合、制御情報が第２状態に変更されるので、制御情報が第１状態にある場合よりも、空調装置の換気能力が高められる。これにより、持ち込み水分量に応じて空調装置の換気能力を高くすることができる。
【０００８】
本発明の他の第１態様によれば、前記判定部は、更に、前記制御情報を前記第２状態に変更した後、前記気象情報が示す気象であって前記車両の現在位置における気象が雨又は雪でない時間の積算値を更新し、更新した前記積算値に基づいて、前記制御情報を前記第１状態に戻す。ここで、雨又は雪が降っていない間は、換気による車両外への水分の放出が促進されるので、上記の積算値は、持ち込み水分が換気により外部に放出されたタイミングを推定するために利用できる。この点、本発明の他の第１態様によれば、かかる積算値に基づいて制御情報を第１状態に戻すことで、換気損失の低減を図ることが可能となる。
本発明の他の第２態様によれば、前記判定部は、更に、前記制御情報を前記第２状態に変更した後、前記車両外の温度情報及び湿度情報、並びに前記車両内の温度情報に基づいて、換気により前記車両外に放出された水分量の積算値を更新し、更新した前記積算値に基づいて、前記制御情報を前記第１状態に戻す。ここで、換気により車両外に放出される水分量は、車両内外の温度や湿度に依存する。この点、本発明の他の第２態様によれば、換気により車両外に放出された水分量の積算値を車両外の温度情報等に基づいて更新し、更新した積算値に基づいて、制御情報を第１状態に戻すことで、換気損失の低減を図ることが可能となる。
本発明の他の第３態様によれば、前記判定部は、更に、前記乗員の数に基づいて、前記制御情報が前記第２状態である継続時間を変化させる。ここで、乗員の数が多いほど持ち込み水分量が大きい可能性が高い。この点、本発明の他の第３態様によれば、乗員の数に基づいて、制御情報が第２状態である継続時間を変化させることで、該継続時間の適正化を図ることが可能となる。
【図面の簡単な説明】
【０００９】
【図１】実施例１による空調制御システムの基本構成を示す図である。
【図２】空調装置の一例を示す図である。
【図３】空調装置の一例を示す図である。
【図４】制御装置のハードウェア構成の一例を示す図である。
【図５】制御装置により実行される処理の一例を示す概略フローチャートである。
【図６】制御装置により実行される処理の他の一例を示す概略フローチャートである。
【図７】図６に示す処理の説明図である。
【図８】制御装置により実行される処理の他の一例を示す概略フローチャートである。
【図９Ａ】指標値算出用のマップの説明図である。
【図９Ｂ】指標値算出用のマップの説明図である。
【図１０】実施例２による空調制御システムの基本構成を示す図である。
【図１１Ａ】走行履歴データベース内のデータの説明図である。
【図１１Ｂ】走行履歴データベース内のデータの説明図である。
【図１２】制御装置により実行される処理の一例を示す概略フローチャートである。
【図１３】サーバにより実行される処理の一例を示す概略フローチャートである。
【図１４】サーバにより実行される処理の他の一例を示す概略フローチャートである。
【発明を実施するための形態】
【００１０】
以下、添付図面を参照しながら各実施例について詳細に説明する。
【００１１】
［実施例１］
図１は、実施例１による空調制御システム１の基本構成を示す図である。
【００１２】
空調制御システム１は、車両に搭載される。以下、空調制御システム１が搭載される車両を「自車」とも称する。空調制御システム１は、空調装置１０と、制御装置４０とを含む。
【００１３】
空調装置１０は、可変の換気能力を有する。換気能力は、外内気ドア（例えば図３に示す外内気ドア１１９）の開度を変化させることで変化させることができる。また、換気能力は、外気導入率が０％よりも大きいときに、ブロアモータ（例えば図３に示すブロアモータ１２２）の回転数を変化させることで変化させることができる。
【００１４】
図２及び図３は、空調装置１０の一例を示す図である。図２及び図３に示す例では、空調装置１０は、冷媒を圧縮するコンプレッサ１１２を備えている。コンプレッサ１１２により圧縮された冷媒は、コンデンサ１１４やエバポレータ１１６を含む冷媒通路１１８を循環する。コンデンサ１１４は、気化冷媒を冷却して、エバポレータ１１６に供給するための液冷媒に変化させる機能をする。コンデンサ１１４の前側には、コンデンサ１１４を冷却するための吸い込み式電動ファン１１５が配設されている。エバポレータ１１６は、車室内に設けられる。エバポレータ１１６の前側には、図２及び図３に示すように、その回転速度が調整可能なブロアモータ（ブロアファン）１２２が配設されている。ブロアモータ１２２は、外内気ドア１１９を介して車外又は車室内と連通している。ブロアモータ１２２は、車外又は車室内の空気（即ち、外気又は内気若しくはそれらの混合空気）をエバポレータ１１６を介して車室内に送り込む機能を有する。車室内に送り込まれる空気の流量（即ち、ブロア風量）は、ブロアモータ１２２の回転速度を制御することにより調整される。ブロアモータ１２２が回転すると、外内気ドア１１９を介して流入した空気（即ち、外気又は内気若しくはそれらの混合空気）がエバポレータ１１６を通過する。エバポレータ１１６は、コンプレッサ１１２により圧縮された冷媒を気化することで、エバポレータ１１６を通過する空気を冷却する。エバポレータ１１６の後流側には、ヒーターコア１２０が配設されている。ヒーターコア１２０には、その開度が調整可能な（例えば、サーボモータにより駆動される）エアミックスドア１２４が設定されている。ヒーターコア１２０は、エアミックスドア１２４と協働して、エバポレータ１１６により冷却された空気（冷気）に暖気を混合する機能（リヒート機能）を果たす。車室内に送り込まれる空気の温度は、エアミックスドア１２４の開度（即ち、冷気と暖気の混合比）を制御することにより調整される。ヒーターコア１２０の後流側には、車室内の所定の箇所に設けられた各吹き出し口まで混合空気を導く各ダクトが配設されている。また、ヒーターコア１２０の後流側には、選択的に所定の吹き出し口に混合空気を導くためのモードドア１２８が設定されている。
【００１５】
制御装置４０は、コンピュータにより形成される。例えば、制御装置４０は、エアコンＥＣＵ（Electronic Control Unit）である。図４は、制御装置４０のハードウェア構成の一例を示す図である。図４には、制御装置４０のハードウェア構成に関連付けて、車載電子機器群８に含まれる要素の例及び空調装置１０が模式的に図示されている。
【００１６】
制御装置４０は、バス１９で接続されたＣＰＵ（Central Processing Unit）１１、ＲＡＭ（Random Access Memory）１２、ＲＯＭ（Read Only Memory）１３、補助記憶装置１４（例えばＥＥＰＲＯＭ（Electrically Erasable Programmable Read-Only Memory）のような不揮発メモリ）、及び通信インターフェース１７、並びに、通信インターフェース１７に接続された有線送受信部２５を含む。
【００１７】
有線送受信部２５は、ＣＡＮ（controller area network）やＬＩＮ（Local Interconnect Network）などの車両ネットワークを利用して通信可能な送受信部を含む。尚、制御装置４０は、有線送受信部２５に加えて、通信インターフェース１７に接続される無線送受信部（図示せず）を備えてもよい。この場合、無線送受信部は、近距離無線通信（ＮＦＣ：Near Field Communication）部、ブルーツース（Bluetooth、登録商標）通信部、Ｗｉ−Ｆｉ（Wireless-Fidelity）送受信部、赤外線送受信部などを含んでもよい。
【００１８】
車載電子機器群８は、ＧＰＳ（Global Positioning System）受信機８１と、通信モジュール８２と、ディスプレイ８３と、操作スイッチ群８４と、エアコン関連センサ８６とを含む。
【００１９】
ＧＰＳ受信機８１は、ＧＰＳ衛星からの電波に基づいて、自車位置を測位する。通信モジュール８２は、例えば、携帯電話における無線通信網を利用して無線通信可能な送受信部である。通信モジュール８２は、自車内に固定される。但し、変形例では、通信モジュール８２は、自車内に持ち込まれうる携帯端末(例えば、スマートフォン、タブレット等)により実現されてもよい。この場合、制御装置４０は、無線送受信部（例えばブルーツース通信部）を介して通信モジュール８２により外部と通信できる。
【００２０】
ディスプレイ８３は、例えばタッチパネル式の液晶ディスプレイである。ディスプレイ８３は、運転者が目視可能な位置に配置される。ディスプレイ８３は、自車内に固定されるディスプレイであるが、自車内に持ち込まれうる携帯端末のディスプレイであってもよい。この場合、携帯端末と制御装置４０との間の通信は、無線送受信部（例えばブルーツース通信部）を介して実現できる。
【００２１】
操作スイッチ群８４は、ユーザが空調装置１０に対して操作を行うためのコントロールパネル（図示せず）に設けられる。コントロールパネルは、例えばインストルメントパネルに配設される。操作スイッチ群８４は、コンプレッサ１１２の作動をオン／オフさせるためのＡ／Ｃスイッチや、空調装置１０の動作モード（オートモード又はマニュアルモード）を切り替えるためのスイッチ、吸込口モード（内気循環モード又は外気導入モード）を切り替えるスイッチ、ブロア風量を調整するためのスイッチ（ブロアダイヤル）、フットデフモードやデフモードのオン／オフを切り替えるためのデフロスタースイッチ、温度設定を行うためのスイッチ（温度設定ダイヤル）等を含む。尚、操作スイッチ群８４の一部又は全部は、自車内に持ち込まれうる携帯端末に設定されてもよい。
【００２２】
エアコン関連センサ８６は、車室内の温度を検出する内気温センサ、及び、車外の温度を検出する外気温センサを含む。その他、エアコン関連センサ８６は、日射量を検出する日射センサ、及びエバポレータ１１６通過直後の冷気の温度を検出する温度センサ等を含んでもよい。
【００２３】
制御装置４０は、図１に示すように、乗車イベント検出部４１と、気象情報取得部４２と、判定部４４と、制御部４６とを含む。乗車イベント検出部４１、気象情報取得部４２、判定部４４、及び制御部４６は、図４に示したＣＰＵ１１がＲＯＭ１３に記憶された１つ以上のプログラムを実行することでそれぞれ実現できる。
【００２４】
乗車イベント検出部４１は、自車への乗員の乗車イベントを検出する。例えば、乗車イベント検出部４１は、自車の起動イベントの発生を、乗車イベントとして検出する。自車の起動イベントとは、起動スイッチ（例えばイグニッションスイッチ、電気自動車の場合は電源スイッチ）のオンイベントである。或いは、乗車イベント検出部４１は、自車の作動中（即ち起動スイッチがオン状態である間）に、自車停車状態において、ドアが開閉され、一定時間経過後に、再びドアが開閉されたときに、乗車イベントを検出してもよい。或いは、乗車イベント検出部４１は、ドアが開閉され、その後、自車の起動イベントが発生したときに、乗車イベントを検出してもよい。或いは、乗車イベント検出部４１は、ドアロックが施錠状態から開錠され、その後、ドアが開閉され、その後、自車の起動イベントが発生したときに、乗車イベントを検出してもよい。尚、上記における「ドアの開閉」は、開動作及びその後の閉動作の組み合わせを意味し、ドアスイッチ（図示せず）により検出できる。
【００２５】
気象情報取得部４２は、自車の現在位置における気象を表す気象情報を取得する。気象情報取得部４２が取得する気象情報は、雨、晴れ、雪などの天気を表す情報を含み、その他、気温、降水量、湿度などの情報を適宜含む。気象情報取得部４２は、例えば、乗車イベント検出部４１により乗車イベントが検出されると、自車の現在位置における気象情報を取得する。気象情報取得部４２は、通信モジュール８２を介して自車の現在位置における気象情報を取得する。尚、以下では、乗車イベントが検出されたときの「自車の現在位置」を、「乗車位置」とも称する。
【００２６】
例えば気象情報が地域ごとに存在する場合は、乗車位置における気象情報は、乗車位置が属する地域に係る気象情報である。気象情報は、例えば気象データを提供するサーバ（図示せず）から取得できる。かかるサーバは、例えば、全国の多数のユーザから寄せられた生の情報や、全国各地に設けられた観測器からの観測データ、レーダによる雲の動きなどから予測に基づいて、リアルタイム性の高い気象情報を導出・提供するサーバである。尚、乗車位置は、起動スイッチがオンされたときの自車位置（ＧＰＳ受信機８１からの自車位置）に基づいて判断できる。
【００２７】
判定部４４は、気象情報取得部４２が取得した気象情報に基づいて、乗車イベントの際の自車内への乗員による持ち込み水分量であって、自車の外部環境に起因した持ち込み水分量（以下、単に「持ち込み水分量」とも称する）が所定レベルを超えるか否かを判定する。持ち込み水分量とは、乗車イベントの際に乗員により自車内に持ち込まれる水分であって、自車の外部環境に起因した持ち込み水分（以下、単に「持ち込み水分」とも称する）の量である。自車の外部環境に起因した持ち込み水分は、例えば雨天時に傘や鞄などに付着した水分のような、外部環境に起因して乗員の人体又は乗員の所持物等に付着した水分である。従って、ここで定義する持ち込み水分には、乗員の人体自体に含まれる水分や、ペットボトルなどの飲料の水分などは含まれない。所定レベルは、概念的には、換気能力を高める必要性が生じる持ち込み水分量に対応し、自車の車室内の容積等に依存しうる。尚、所定レベルが０であるとき、持ち込み水分量が所定レベルを超えるか否かを判定することは、持ち込み水分が有るか否かを判定することと同じとなる。従って、持ち込み水分量が所定レベルを超えるか否かを判定することは、持ち込み水分が有るか否かを判定することを含む概念である。持ち込み水分量が所定レベルを超えるか否かの判定方法は、例えば次のとおりである。
【００２８】
第１例では、判定部４４は、乗車イベントの際の乗車位置における気象が雨又は雪である場合に、持ち込み水分量が所定レベルを超えると判定する。他方、判定部４４は、乗車イベントの際の乗車位置における気象が雨及び雪以外である場合（例えば曇りや晴れの場合）に、持ち込み水分量が所定レベルを超えないと判定する。従って、第１例では、所定レベルは０である。尚、乗車イベントの際の乗車位置における気象は、正確に乗車イベントが検出された時点に係る気象である必要はなく、乗車イベントが検出された時点が属する時間帯（例えば、１時間ごとの時間帯）の気象であってもよい。
【００２９】
第１例に対する変形例では、判定部４４は、乗車イベントの際の乗車位置における気象が雨及び雪以外である場合であっても、乗車イベント以前の所定期間Ｔ１内の少なくとも一時点での乗車位置における気象が雨又は雪である場合には、持ち込み水分量が所定レベルを超えると判定する。これは、乗車イベントの際の乗車位置における気象が例えば晴れであっても、乗車イベント以前に雨や雪が降っていたときは、乗員は雨や雪の際に濡れた傘や衣服が濡れたままの状態で乗車する可能性が高いためである。この場合、所定期間Ｔ１は、比較的短い時間である。同様の観点から、判定部４４は、乗車イベントの際の乗車位置における気象が雨及び雪以外である場合であっても、乗車イベントの際の乗車位置において積雪がある場合、又は乗車イベント以前の所定期間Ｔ１内に乗車位置において積雪がある場合には、持ち込み水分量が所定レベルを超えると判定する。これは、乗車イベントの際の乗車位置における気象が例えば晴れであっても、乗車位置に積雪があるときは、乗員は靴に雪が付着したまま乗車する可能性が高いためである。
【００３０】
第１例に対する他の変形例では、判定部４４は、乗車位置における気象情報と、乗車位置の属性情報とに基づいて、持ち込み水分量が所定レベルを超えるか否かを判定する。乗車位置の属性情報は、乗車位置の属性であって、駐車場に関する属性を表す情報である。乗車位置の属性情報は、例えば、乗車位置が駐車場であるか否かを表す情報であり、乗車位置が駐車場である場合は、屋外か否か、屋外である場合は屋根や庇があるか否か、自宅の駐車場か否かを更に表す情報である。乗車位置の属性情報は、例えばナビゲーション装置（図示せず）の地図データベース内に含められてもよいし、外部のサーバ（図示せず）から取得されてもよい。例えば、判定部４４は、気象情報に基づいて乗車位置における気象が雨又は雪であり、且つ、乗車位置が駐車場でない、又は乗車位置が屋根や庇がない屋外駐車場である場合に、持ち込み水分量が所定レベルを超えると判定する。また、例えば、判定部４４は、気象情報に基づいて乗車位置における気象が雨又は雪であるが、乗車位置が屋内駐車場、屋根や庇が有る室外駐車場、又は自宅駐車場である場合に、持ち込み水分量が所定レベルを超えないと判定する。
【００３１】
第２例では、判定部４４は、乗車位置における気象情報等に基づいて、持ち込み水分量を表す指標値（後述）を算出し、指標値が所定閾値Ｔｈ０を超える場合に、持ち込み水分量が所定レベルを超えると判定する。従って、第２例では、所定閾値Ｔｈ０が所定レベルに対応する。指標値の算出方法の例は、後述する。
【００３２】
判定部４４は、空調装置１０の制御に関する制御情報である持ち込み水分フラグの状態を変更する。持ち込み水分フラグの状態は、"０"及び"１"間で変更される。持ち込み水分フラグの状態は、記憶部（例えばＲＡＭ１２や、起動スイッチオフ期間中は補助記憶装置１４）に保持される制御情報である。尚、特許請求の範囲の請求項１の「制御情報」の一例は、実施例１における持ち込み水分フラグの状態である。判定部４４は、持ち込み水分量が所定レベルを超えると判定すると、持ち込み水分フラグを"１"にセットする。持ち込み水分フラグの初期値は、"０"である。判定部４４は、持ち込み水分フラグを"１"にセットすると、その後、所定のリセット条件が成立するまで、持ち込み水分フラグを"１"に維持する。判定部４４は、リセット条件が成立すると、持ち込み水分フラグを"０"にリセットする。リセット条件は、例えば、直近に持ち込み水分量が所定レベルを超えると判定した時刻を基準として、該時刻からの経過時間が所定時間Ｔｐになった場合に成立する。リセット条件の他の例は、後述する。
【００３３】
制御部４６は、空調装置１０を制御する。以下では、特に言及しない限り、動作モードがオートモードである状態について説明する。尚、マニュアルモード時、制御部４６は、持ち込み水分フラグの状態とは無関係に、ブロアダイヤルの操作位置、及び、温度設定ダイヤルの操作位置（設定温度）に応じて、ブロア風量及びエアミックスドア１２４の開度を制御する。
【００３４】
制御部４６は、持ち込み水分フラグの状態に基づいて、空調装置１０を制御する。制御部４６は、持ち込み水分フラグが"１"である場合、持ち込み水分フラグが"０"である場合よりも、空調装置１０の換気能力を高くする。空調装置１０の換気能力は、外気導入率が高いほど高くなる。また、空調装置１０の換気能力は、外気導入率が０％よりも有意に大きい値であるとき、ブロアモータ１２２の回転数が高いほど高くなる。また、空調装置１０の換気能力は、外気導入率が０％よりも有意に大きい値であるとき、同一のブロアモータ１２２の回転数である条件下では、換気時間が長いほど高くなる。例えば、制御部４６は、持ち込み水分フラグが"１"にセットされると、持ち込み水分フラグが"０"になるまでの期間、同期間で持ち込み水分フラグが"０"である場合よりも、空調装置１０の換気能力を高くする。
【００３５】
一例では、制御部４６は、持ち込み水分フラグが"０"である場合、外気導入率を第１の外気導入率（例えば０％）に設定し、持ち込み水分フラグが"１"である場合、外気導入率を第２の外気導入率（＞第１の外気導入率、例えば１００％）に設定する。尚、外気導入率は、外内気ドア１１９の開度を調整することで変化させることができる。
他の一例では、制御部４６は、持ち込み水分フラグが"０"である場合、外気導入率を第１の外気導入率に設定しつつ、ブロアモータ１２２の回転数を第１の回転数Ｎ１に設定し、持ち込み水分フラグが"１"である場合、外気導入率を第２の外気導入率に設定しつつ、ブロアモータ１２２の回転数を第２の回転数Ｎ２（＞第１の回転数Ｎ１、例えば最大値）に設定する。
以下では、持ち込み水分フラグが"０"である場合に制御部４６で用いられる上述のような制御方法を、「第１制御方法」と称し、持ち込み水分フラグが"１"である場合に制御部４６で用いられる上述のような制御方法を、「第２制御方法」と称する。尚、第２制御方法は、デフロスタが使用されるデフモード（又はフットデフモード）をオンすることを伴ってもよい。
【００３６】
ところで、乗車位置における気象が雨や雪である場合、自車に乗り込む前に乗員自身やその所持物（例えば傘や鞄など）、衣服、靴等が濡れている可能性が高い。それ故に、乗車位置における気象が雨や雪である場合、持ち込み水分が生じる可能性が高い。従って、乗車位置における気象が雨や雪である場合、持ち込み水分に起因して、発車後直ぐに窓（例えばフロントウインドシールド）の曇りが生じ始めてしまう虞がある。
【００３７】
この点、上述した空調制御システム１によれば、持ち込み水分量が所定レベルを超えると判定された場合、持ち込み水分フラグが"１"にセットされる。持ち込み水分フラグが"１"にセットされると、制御部４６は、上述の第２制御方法に基づいて、空調装置１０を制御する。従って、上述した空調制御システム１によれば、持ち込み水分量に応じて、空調装置１０の換気能力を高くすることができる。これにより、持ち込み水分に起因して換気の必要性が高い場合は、窓の曇りが発生しないように空調装置１０の換気能力を自動的に高くすることができる。この場合、乗車位置での自車起動時から空調装置１０の換気能力が高められるので、持ち込み水分に起因して発車後直ぐに窓の曇りが生じ始めてしまう可能性が低減し、窓の曇りに起因した視界不良や運転者のストレスを低減できる。また、換気能力を高めるためのスイッチ操作をユーザがマニュアル操作で行う必要がなく、利便性が高くなる。
【００３８】
また、近年では、内燃機関の効率向上により排熱が減少する傾向があり、必要な暖房能力を得るために追加のエネルギーを使い、車両燃費が悪化するという問題が生じつつある。また、ハイブリッド車や、排熱が利用できない電気自動車においては、暖房負荷が燃費や航続距離に大きな影響を及ぼす。暖房負荷を低減させるためには、内気循環率を増やし、換気損失を低減することが有用である。また、自車が内燃機関を備える場合は、内燃機関の早期の暖気化のためにも、換気損失を低減することが有用である。
【００３９】
この点、上述した空調制御システム１によれば、持ち込み水分フラグが"１"にセットされない場合には、第１制御方法が用いられ、第２制御方法に比べて空調装置１０の換気能力が低くなるので（即ち内気循環率が高められるので）、換気損失を低減できる。このようにして、上述した空調制御システム１によれば、換気損失を低減しつつ、持ち込み水分に起因した窓の曇りを低減できる。
【００４０】
また、上述した空調制御システム１によれば、自車内に湿度センサを設けることなく上記の効果を得ることができるので、コスト面で有利となる。
【００４１】
次に、図５乃至図９Ｂを参照して、制御装置４０による幾つかの動作例について説明する。
【００４２】
図５は、制御装置４０により実行される処理の一例を示す概略フローチャートである。図５に示す処理は、例えば、自車の起動イベントの発生時に起動され、自車の作動中（即ち起動スイッチがオン状態である間）に所定周期毎に実行される。
【００４３】
ステップＳ５００では、乗車イベント検出部４１は、乗車イベントがあったか否かを判定する。図５では、一例として、乗車イベント検出部４１は、自車の起動イベントの発生を、乗車イベントとして検出する。従って、乗車イベント検出部４１は、起動後の初回の処理である場合は、乗車イベントがあったと判定する。判定結果が"ＹＥＳ"の場合は、ステップＳ５０２に進み、それ以外の場合は、ステップＳ５１２に進む。
【００４４】
ステップＳ５０２では、気象情報取得部４２は、ＧＰＳ受信機８１から自車の現在位置（乗車位置）を取得する。
【００４５】
ステップＳ５０４では、気象情報取得部４２は、通信モジュール８２を介して乗車位置における気象情報を取得する。
【００４６】
ステップＳ５０６では、判定部４４は、ステップＳ５０４で得た気象情報に基づいて、持ち込み水分量が所定レベルを超えるか否かを判定する。図５では、一例として、判定部４４は、乗車イベントの際の乗車位置における気象が雨又は雪である場合には、持ち込み水分量が所定レベルを超えると判定する。判定結果が"ＹＥＳ"の場合は、ステップＳ５０８に進み、それ以外の場合は、ステップＳ５１２に進む。
【００４７】
ステップＳ５０８では、判定部４４は、持ち込み水分フラグを"１"にセットする。
【００４８】
ステップＳ５１２では、判定部４４は、持ち込み水分フラグが"１"であるか否かを判定する。判定結果が"ＹＥＳ"の場合は、ステップＳ５１４に進み、それ以外の場合（即ち持ち込み水分フラグが"０"である場合）は、ステップＳ５１８に進む。
【００４９】
ステップＳ５１４では、判定部４４は、リセット条件が成立したか否かを判定する。図５では、一例として、判定部４４は、直近に持ち込み水分量が所定レベルを超えると判定した時刻を基準として、該時刻からの経過時間が所定時間Ｔｐ（固定値）に到達した場合に、リセット条件が成立したと判定する。判定結果が"ＹＥＳ"の場合は、ステップＳ５１６に進み、それ以外の場合は、ステップＳ５１８に進む。
【００５０】
ステップＳ５１６では、判定部４４は、持ち込み水分フラグを"０"にリセットする。
【００５１】
ステップＳ５１８では、制御部４６は、現在の持ち込み水分フラグの状態に応じて空調装置１０を制御する。この制御方法については上述のとおりである。
【００５２】
図５に示す処理によれば、自車の起動スイッチがオフからオンになる毎に、持ち込み水分量が所定レベルを超えるか否かが判定され、持ち込み水分量が所定レベルを超えると判定された場合には、空調装置１０の換気能力を高くすることができる。また、空調装置１０の換気能力を高めた状態において、リセット条件が成立した場合には、空調装置１０の換気能力を高めた状態を解除できる。
【００５３】
図６は、制御装置４０により実行される処理の他の一例（図５に対する代替例）を示す概略フローチャートである。図６に示す処理は、例えば、自車の起動イベントの発生時に起動され、自車の作動中に所定周期毎に実行される。
【００５４】
図６において、図５と同一である処理については、同一のステップ番号を付して説明を省略する。図６に示す処理は、図５に示した処理に対して、ステップＳ５０８とステップＳ５１８の間にステップＳ６００が追加的に実行され、且つ、ステップＳ５１４に代えてステップＳ６０２乃至ステップＳ６１０が実行される点が異なる。また、図６に示す処理は、図５に示した処理に対して、ステップＳ５０６の判定結果が"ＮＯ"である場合に、ステップＳ５９０が実行される点が異なる。以下、異なる部分を説明する。
【００５５】
また、図６では、一例として、ステップＳ５０４において、気象情報取得部４２は、同様に自車の乗車位置における気象情報を取得するが、現時点以前の所定期間Ｔ１、及び、直近の起動スイッチのオフ期間のうちの、長い方の期間にわたる気象（現時点の気象を含む）を表す気象情報を取得するものとする。また、図６では、一例として、ステップＳ５０６において、判定部４４は、現時点以前の所定期間Ｔ１内の少なくとも一時点での乗車位置における気象が雨又は雪である場合には、持ち込み水分量が所定レベルを超えると判定するものとする。
【００５６】
ステップＳ５９０では、判定部４４は、持ち込み水分フラグが"１"であるか否かを判定する。判定結果が"ＹＥＳ"の場合は、ステップＳ５９２に進み、それ以外の場合は、ステップＳ５１８に進む。
【００５７】
ステップＳ５９２では、判定部４４は、ステップＳ５０４で得た気象情報に基づいて、直近の起動スイッチのオフ期間中における、自車位置における気象が雨及び雪以外であった期間を、水分放出時間Ｔｄの現在値に加算して、水分放出時間Ｔｄを更新する。ステップＳ５９２の処理が終了すると、ステップＳ６１０に進む。水分放出時間Ｔｄは、現時点以前における雨又は雪が降っていない時間（降雨量／降雪量が０である時間）の積算値を表す。雨又は雪が降っていない間は換気による自車外への水分の放出が促進されるので、水分放出時間Ｔｄは、持ち込み水分が換気により外部に放出されたタイミングを推定するために利用できる。水分放出時間Ｔｄの初期値及びカウント開始タイミングは、後述する。
【００５８】
ステップＳ６００では、判定部４４は、ステップＳ５０４で得た気象情報に基づいて、水分放出時間Ｔｄの初期値を算出（初期化）する。判定部４４は、現時点の気象が雨又は雪である場合には、初期値を０に設定する。他方、現時点よりも時間Ｔ２（＜Ｔ１）前の時点で雨又は雪が終了した場合は、判定部４４は、初期値をＴ２に設定する。
【００５９】
ステップＳ６０２では、気象情報取得部４２は、ＧＰＳ受信機８１から自車の現在位置を取得する。
【００６０】
ステップＳ６０４では、気象情報取得部４２は、通信モジュール８２を介して自車の現在位置における気象情報を取得する。
【００６１】
ステップＳ６０６では、判定部４４は、ステップＳ６０４で得た気象情報に基づいて、自車の現在位置における気象が雨及び雪以外であるか否かを判定する。判定結果が"ＹＥＳ"の場合は、ステップＳ６０８に進み、それ以外の場合は、ステップＳ５１８に進む。
【００６２】
ステップＳ６０８では、判定部４４は、水分放出時間Ｔｄの現在値に所定時間Δｔを加算して、水分放出時間Ｔｄを更新する。所定時間Δｔは、処理周期に対応する。
【００６３】
ステップＳ６１０では、判定部４４は、水分放出時間Ｔｄが所定閾値Ｔｈを超えるか否かを判定する。所定閾値Ｔｈは、空調装置１０の高められた換気機能によって持ち込み水分が無くなるまでに要する時間に対応し、試験等により適合される。例えば、所定閾値Ｔｈは、上述のように、持ち込み水分フラグが"１"である状態が、持ち込み水分に起因して濡れた車室内の内装部材が乾くまで継続されるように、適合されてよい。或いは、所定閾値Ｔｈは、簡易的に、例えば２４時間とされてもよい。判定結果が"ＹＥＳ"の場合は、ステップＳ５１６に進み、それ以外の場合は、ステップＳ５１８に進む。
【００６４】
図６に示す処理によれば、自車の起動スイッチがオフからオンになる毎に、持ち込み水分量が所定レベルを超えるか否かが判定され、持ち込み水分量が所定レベルを超えると判定された場合には、持ち込み水分フラグが"１"にセットされる。そして、持ち込み水分フラグが"１"にセットされると、水分放出時間Ｔｄの初期値が算出（初期化）される。その後、水分放出時間Ｔｄは、自車位置における気象が雨及び雪以外である時間の増加に応じて増加する態様で更新され、水分放出時間Ｔｄが所定閾値Ｔｈを超えたときに、持ち込み水分フラグが"０"にリセットされる。
【００６５】
図７は、図６に示す処理の説明図である。図７には、上から順に、起動スイッチの状態、自車の現在位置における気象（気象情報が表す気象）、持ち込み水分フラグの状態、及び水分放出時間Ｔｄの各時系列が示される。尚、水分放出時間Ｔｄの時系列には、所定閾値Ｔｈが併せて示される。
【００６６】
図７では、時刻ｔ１にて乗車イベントが例えば地点Ａ（図示せず）で発生している。時刻ｔ１での気象は晴れであるが、時刻ｔ１以前の時刻ｔ０での気象は雨である。図７では、ｔ１−ｔ０＜Ｔ１であり、従って、時刻ｔ１での乗車イベントに対応して持ち込み水分フラグが"１"にセットされる。このとき、時刻ｔ１での気象は晴れであるので、時刻ｔ１での水分放出時間Ｔｄの値（即ち初期値）は、ｔ１−ｔ０に対応する。時刻ｔ１以後、自車は、時刻ｔ２にて、例えば地点Ｂ（図示せず）に到達し、起動スイッチがオフになる。時刻ｔ１以後、各自車位置（例えば地点Ｂへ移動中は自車位置は変化している）における気象は晴れが続き、地点Ｂに自車が到達するまで水分放出時間Ｔｄが増加される。尚、地点Ｂに到達した後の起動スイッチのオフ期間中は水分放出時間Ｔｄの更新がされなくなるが、その後、時刻ｔ３にて乗車イベントが地点Ｂで発生すると、直近のオフ期間中における晴れの期間が加算されることで水分放出時間Ｔｄが更新される。尚、地点Ｂでの乗車イベント時（時刻ｔ３）では、水分放出時間Ｔｄは依然として所定閾値Ｔｈに到達しておらず、従って、持ち込み水分フラグは"１"のままである。従って、時刻ｔ３での自車の起動時からも、時刻ｔ１での自車の起動時と同様に、空調装置１０の換気能力が高められる。その後、時刻ｔ４には、水分放出時間Ｔｄが所定閾値Ｔｈに到達し、持ち込み水分フラグが"０"にリセットされる。この結果、時刻ｔ４にて空調装置１０の換気能力を高めた状態が解除される。
【００６７】
このように、図６に示す処理によれば、水分放出時間Ｔｄに基づいて、持ち込み水分が換気により外部に放出されたと推定されるタイミングで、空調装置１０の換気能力を高めた状態を解除できる。
【００６８】
ここで、傘や鞄などに付着した水分のような、乗車に伴い車内に持ち込まれる水分（持ち込み水分）は、車室内の内装部材（例えばフロアカーペット等の繊維質の内装部材）に浸み込むので、起動スイッチのオフ後に傘や鞄などが乗員と共に車外に持ち出されても、内装部材が濡れたままである場合がある。この点、図６に示す処理によれば、持ち込み水分フラグは、一旦"１"にセットされると、その後、水分放出時間Ｔｄが所定閾値Ｔｈを超えない限り、起動スイッチがオフになってもリセットされることはない。従って、図６に示す処理によれば、起動スイッチのオフ後に傘や鞄などが乗員と共に車外に持ち出されても、次の乗車イベントの際に空調装置１０の換気能力を高められる場合がある。従って、図６に示す処理によれば、乗車イベント時に、前回の乗車イベントの際に持ち込み水分に起因して内装部材が依然として濡れている状態である場合に、空調装置１０の換気能力が上がる可能性を高めることができる。
【００６９】
尚、図６では、ステップＳ６００において、判定部４４は、水分放出時間Ｔｄを０より大きい値に初期化しうるが、これに限られない。例えば、ステップＳ６００において、判定部４４は、常に水分放出時間Ｔｄを０に初期化してもよい。
【００７０】
また、図６では、ステップＳ５０６において、判定部４４は、現時点以前の所定期間Ｔ１内の少なくとも一時点での乗車位置における気象が雨又は雪である場合には、持ち込み水分量が所定レベルを超えると判定するものとしたが、これに限られない。例えば、ステップＳ５０６において、判定部４４は、乗車イベント時の乗車位置における気象が雨又は雪である場合にのみ、持ち込み水分量が所定レベルを超えると判定する構成であってもよい。この場合、ステップＳ６００において、判定部４４は、常に水分放出時間Ｔｄを０に初期化する。
【００７１】
図８は、制御装置４０により実行される処理の他の一例（図５に対する代替例）を示す概略フローチャートである。図８に示す処理は、例えば、自車の起動イベントの発生時に起動され、自車の作動中に所定周期毎に実行される。
【００７２】
図８において、図５と同一である処理については、同一のステップ番号を付して説明を省略する。図８に示す処理は、図５に示した処理に対して、ステップＳ５０８とステップＳ５１８の間にステップＳ８００乃至ステップＳ８０２が追加的に実行され、且つ、ステップＳ５１４に代えてステップＳ８０３乃至ステップＳ８１０が実行される点が異なる。また、図８に示す処理は、図５に示した処理に対して、ステップＳ５０６の判定結果が"ＮＯ"である場合に、ステップＳ５１８に進む点が異なる。以下、異なる部分を説明する。
【００７３】
ステップＳ８００では、判定部４４は、ステップＳ５００で検出された乗車イベントによる持ち込み水分量を表す指標値を算出する。指標値は、乗員数をパラメータとして算出される。指標値は、乗員数が多いほど高くなる。その他、指標値は、降雨量、乗員の体格、傘の本数、乗り込んだ乗員の車外にいた時間等を更なるパラメータとして算出されてもよい。指標値は、降雨量や傘の本数が多いほど高くなり、乗員の体格が大きいほど高くなり、車外にいた時間が長いほど高くなる。
【００７４】
ここでは、一例として、判定部４４は、図９Ａ及び図９Ｂに示すマップを用いて、指標値を算出する。ここでは、指標値は、絶対湿度（重量絶対湿度）の増分［ｇ／ｋｇ］である。図９Ａには、乗員数と絶対湿度の増分との関係が示され、図９Ｂには、傘の本数と絶対湿度の増分との関係が示される。尚、乗員数は、シートセンサやドアスイッチ、シートベルトセンサ等に基づいて判断できる。傘の本数は、乗員数と同一とされる。例えば、乗員数が２人であるとき、図９Ａから０．８、図９Ｂから０．６が抽出され、絶対湿度の増分は合計の１．４とされる。
【００７５】
尚、体格を考慮する場合、例えば乗員が成人女性の場合は、図９Ａに示すマップの各値に、０．８を乗じた値が用いられ、また、乗員が子供の場合は、図９Ａに示すマップの各値に、０．５を乗じた値が用いられてよい。尚、体格は、シートの荷重センサや画像認識等によって判断できる。また、降雨量（降雪量も同様）と、車外にいた時間とを考慮する場合、１時間当たりの降雨量（ｍｍ／ｈ）と、外にいた時間とを乗算した値が５ｍｍ以下の場合は、図９Ｂに示すマップの各値に、０．５を乗じた値が用いられてよい。尚、車外にいた時間は、ドアスイッチのオン・オフ履歴等に基づいて判断できる。また、降雨量は、気象情報の一部として取得できる。
【００７６】
また、判定部４４は、更に、乗車位置の属性情報に基づいて、指標値を補正してもよい。例えば、乗車位置が屋根有りの室外駐車場である場合は、図９Ｂに示すマップの各値に、０．５を乗じた値が用いられてよい。
【００７７】
ステップＳ８０１では、判定部４４は、ステップＳ８００で算出した指標値に応じた所定閾値Ｔｈ１を設定する。判定部４４は、指標値が高いほど所定閾値Ｔｈ１が大きくなる態様で、所定閾値Ｔｈ１を設定する。図８では、一例として、判定部４４は、所定閾値Ｔｈ１を指標値に設定する。
【００７８】
ステップＳ８０２では、判定部４４は、水分放出積算量Ｗ［ｇ／ｋｇ］を０に初期化する。水分放出積算量Ｗは、換気に起因して自車外に放出された水分量の積算値である。
【００７９】
ステップＳ８０３では、気象情報取得部４２は、ＧＰＳ受信機８１から自車の現在位置を取得する。
【００８０】
ステップＳ８０４では、気象情報取得部４２は、通信モジュール８２を介して自車の現在位置における気象情報を取得する。尚、ここでは、気象情報は、自車の現在位置における湿度の情報を含むものとする。尚、自車位置における湿度は、自車の外部の湿度であり、外気湿度に相当する。
【００８１】
ステップＳ８０６では、判定部４４は、現在の外気温度情報及び外気湿度情報並びに内気温度情報に基づいて、空調装置１０の換気に起因して自車外に放出された水分量（以下、「水分放出量」と称する）［ｇ／ｋｇ］を算出する。ここでは、判定部４４は、所定時間Δｔあたりの水分放出量ΔＷを算出する。所定時間Δｔは、処理周期に対応する。例えば、水分放出量ΔＷは、ブロア風量等に基づいて所定時間Δｔあたりの換気風量を算出し、換気風量分の内気に含まれる水分量から、換気風量分の外気に含まれる水分量を差し引くことで算出できる。内気に含まれる水分量は、内気の相対湿度を１００％として現在の内気温度（エアコン関連センサ８６の一要素である内気温センサから取得）に基づいて算出される。また、外気に含まれる水分量は、ステップＳ８０４で得た気象情報（外気湿度）と外気温度に基づいて算出できる。外気温度は、外気温センサ（エアコン関連センサ８６の一要素）の検出値や、気象情報に含まれうる外気温度情報を利用できる。
【００８２】
ステップＳ８０８では、判定部４４は、水分放出積算量Ｗの現在値に、ステップＳ８０６で算出した水分放出量ΔＷを加算して、水分放出積算量Ｗを更新する。
【００８３】
ステップＳ８１０では、判定部４４は、水分放出積算量Ｗが、ステップＳ８０１で設定した所定閾値Ｔｈ１を超えたか否かを判定する。判定結果が"ＹＥＳ"の場合は、ステップＳ５１６に進み、それ以外の場合は、ステップＳ５１８に進む。
【００８４】
図８に示す処理によれば、自車の起動スイッチがオフからオンになる毎に、持ち込み水分量が所定レベルを超えるか否かが判定され、持ち込み水分量が所定レベルを超えると判定された場合には、持ち込み水分フラグが"１"にセットされると共に、持ち込み水分量を表す指標値が算出される。その後、空調装置１０の換気に起因した水分放出量の積算値である水分放出積算量Ｗが更新され、水分放出積算量Ｗが所定閾値Ｔｈ１を超えたときに、持ち込み水分フラグが"０"にリセットされる。所定閾値Ｔｈ１は、指標値に応じて定まる。このように、図８に示す処理によれば、指標値及び水分放出積算量Ｗを算出することで、持ち込み水分が換気により外部に放出完了となるタイミングを高精度に推定できる。これにより、指標値に応じて空調装置１０の換気能力を高めた状態の継続時間を変化させて、空調装置１０の換気能力を高めた状態の継続時間の適正化を図ることができる。
【００８５】
尚、図８では、指標値は、所定閾値Ｔｈ１を決定する際に利用されるが、これに限られない。例えば、上述したように、判定部４４は、指標値が所定閾値Ｔｈ０を超える場合に、持ち込み水分量が所定レベルを超えると判定してもよい。即ち、例えば判定部４４は、ステップＳ５０６に先立って、指標値を算出し、ステップＳ５０６において、指標値が所定閾値Ｔｈ０を超えるか否かを判定してもよい。
【００８６】
また、図８に示した処理で用いる指標値は、図６に示した処理で用いることもできる。具体的には、図６の処理の変形例として、判定部４４は、ステップＳ６００において、更に、指標値を算出し、算出した指標値に基づいて所定閾値Ｔｈ（図６のステップＳ６１０で用いられる所定閾値Ｔｈ）を設定する。この場合、判定部４４は、指標値が大きいほど所定閾値Ｔｈが大きくなる態様で所定閾値Ｔｈを設定する。例えば、判定部４４は、指標値が２［ｇ／ｋｇ］以下であるときは、所定閾値Ｔｈ＝５［分］とし、指標値が２〜３［ｇ／ｋｇ］であるときは、所定閾値Ｔｈ＝１０［分］とし、指標値が３［ｇ／ｋｇ］以上であるときは、所定閾値Ｔｈ＝トリップ期間としてもよい。所定閾値Ｔｈ＝トリップ期間のときは、そのトリップ中、持ち込み水分フラグが"１"に維持される。従って、所定閾値Ｔｈ＝トリップ期間の場合、図６の処理において、ステップＳ５１２の判定結果が"ＹＥＳ"の場合、ステップＳ５１８にそのまま進み、起動スイッチがオフされたときに持ち込み水分フラグが"０"にリセットされる。かかる変形例によっても、指標値に応じて空調装置１０の換気能力を高めた状態の継続時間を変化させ、空調装置１０の換気能力を高めた状態の継続時間の適正化を図ることができる。
【００８７】
また、図８に示した処理においても、図６に示した処理のように、直近の起動スイッチのオフ期間中における自車外への水分放出が考慮されてもよい。この場合、図８において、図６に示した処理のように、ステップＳ５０６の判定結果が"ＮＯ"であり且つ持ち込み水分フラグが"１"である場合に、直近の起動スイッチのオフ期間中における水分放出量に基づいて、水分放出積算量Ｗを更新し、ステップＳ８１０に進む。起動スイッチのオフ期間中における水分放出量は、自然換気による単位時間当たりの換気風量（例えば試験値）を用いて、オフ期間中における自然換気による換気風量（例えば単位時間当たりの換気風量×オフ期間の長さ）を算出し、換気風量分の内気に含まれる水分量から、換気風量分の外気に含まれる水分量を差し引くことで算出できる。このとき、内気に含まれる水分量は、相対湿度を１００％として算出される。また、内気温度は、直近の起動スイッチのオフ時の内気温度、直近の起動スイッチのオン時の内気温度、又はそれらの平均値などが用いられてよい。また、外気に含まれる水分量は、例えば、オフ期間中の気象情報（外気湿度及び外気温度）の推移に基づいて算出できる。
【００８８】
［実施例２］
実施例２による空調制御システム１Ａは、上述した実施例１による空調制御システム１に対して、制御装置４０が制御装置４０Ａで置換され、且つサーバ９０が追加された点が異なる。以下では、異なる点を説明し、同一の構成要素については同一の参照符号を付して説明を省略する。
【００８９】
図１０は、実施例２による空調制御システム１Ａの基本構成を示す図である。
【００９０】
空調制御システム１Ａは、車両に搭載される車載装置７と、サーバ９０（情報処理装置の一例）とを含む。車載装置７は、空調装置１０と、制御装置４０Ａと、通信モジュール８２（通信部の一例）とを含む。尚、車載装置７は、空調装置１０及び通信モジュール８２以外の車載電子機器群８（図４参照）を含む。同様に、以下では、特に言及しない限り、"自車"とは、車載装置７が搭載されている車両を表す。
【００９１】
制御装置４０Ａのハードウェア構成は、図４に示した制御装置４０のハードウェア構成と同一である。制御装置４０Ａは、上述した実施例１による制御装置４０に対して、気象情報取得部４２、判定部４４、及び制御部４６に代えて、走行履歴データ送信部４３、フラグ設定部４５、及び制御部４６Ａが設けられる点が異なる。
【００９２】
具体的には、制御装置４０Ａは、走行履歴データ送信部４３と、フラグ設定部４５と、制御部４６Ａとを含む。走行履歴データ送信部４３、フラグ設定部４５、及び制御部４６Ａは、ＣＰＵ１１がＲＯＭ１３に記憶された１つ以上のプログラムを実行することでそれぞれ実現できる。
【００９３】
走行履歴データ送信部４３は、自車の作動中、定期的に、走行情報をサーバ９０に送信する。走行履歴データ送信部４３は、通信モジュール８２を介して走行情報をサーバ９０に送信する。走行情報は、端末ＩＤ（Identification）と、走行日時と、リンクＩＤとを含む。端末ＩＤは、通信モジュール８２のＩＤである。走行情報に含められるリンクＩＤは、自車の走行しているリンクに係る。自車の走行しているリンクに係るリンクＩＤは、ＧＰＳ受信機８１からの自車位置情報と、地図データベース（図示せず）内の情報とに基づいて取得できる。走行情報に含められるリンクＩＤは、例えば、前回の送信周期から今回の送信周期まで通過した全てのリンクに係るリンクＩＤである。走行日時は、例えば今回の送信周期の時点の日時である。
【００９４】
また、走行履歴データ送信部４３は、起動スイッチのオン／オフ時に、起動オン／オフ情報を、通信モジュール８２を介してサーバ９０に送信する。起動オン／オフ情報は、端末ＩＤと、起動オン／オフ日時と、そのときの自車位置情報(緯度及び経度)とを含む。尚、起動スイッチのオフに代えて、アクセサリスイッチのオフが用いられてもよい。
【００９５】
フラグ設定部４５は、サーバ９０から送信されるセット信号（第２所定信号又は所定信号の一例）及びリセット信号（第１所定信号の一例）に基づいて、高換気フラグの状態を変更する。高換気フラグの機能は、上述した実施例１における持ち込み水分フラグの機能と同じである。フラグ設定部４５は、サーバ９０から通信モジュール８２を介してセット信号を受信した場合、高換気フラグを"１"にセットする。このように、サーバ９０からのセット信号は、フラグ設定部４５に対して、高換気フラグを"１"にセットさせる指令（及びそれに伴い、制御部４６Ａに対して、第２制御方法に基づき空調装置の換気能力を高くさせる指令）として機能する。また、フラグ設定部４５は、サーバ９０から通信モジュール８２を介してリセット信号を受信した場合、高換気フラグを"０"にリセットする。このように、サーバ９０からのリセット信号は、フラグ設定部４５に対して、高換気フラグを"０"にリセットさせる指令として機能する。
【００９６】
制御部４６Ａは、高換気フラグの状態に基づいて、空調装置１０を制御する。制御部４６Ａは、持ち込み水分フラグの状態に代えて同機能を持つ高換気フラグの状態を用いる以外は、上述した実施例１による制御部４６と同じであり、更なる説明を省略する。
【００９７】
サーバ９０は、自車とは遠隔に配置される。尚、サーバ９０のハードウェア構成については図示を省略する。サーバ９０の基本的なアーキテクチャ（構成）は、図４に示した制御装置４０のハードウェア構成に対して、通信装置６０を含む点以外は実質的に同一であり、処理能力及び記憶容量が強化されている点が異なる。尚、サーバ９０は、単一のユニットであってもよいが、例えばネットワークを介して互いに通信可能に接続される複数のサーバ装置により形成されてもよい。
【００９８】
通信装置６０は、自車の通信モジュール８２と通信する。通信時、通信装置６０と自車の通信モジュール８２とは、携帯電話における無線通信網を含むネットワークを介して接続される。ネットワークは、無線通信網の他、例えばインターネット、World Wide Web、VPN（virtual private network）、WAN（Wide Area Network）、有線ネットワーク等を含んでもよい。
【００９９】
サーバ９０は、乗車イベント検出部９１と、気象情報取得部９２と、判定部９４と、地図照合部９６と、地図データベース９７と、走行履歴データベース９８と、気象データベース９９とを含む。乗車イベント検出部９１、気象情報取得部９２、判定部９４、及び地図照合部９６は、ＣＰＵが、ＲＯＭに記憶された１つ以上のプログラムを実行することでそれぞれ実現できる。地図データベース９７等の各データベースは、補助記憶装置（例えばハードディスクドライブ）により実現できる。
【０１００】
乗車イベント検出部９１は、乗車イベントを検出する。例えば、乗車イベント検出部９１は、自車の起動イベントの発生を、乗車イベントとして検出する。自車の起動イベントの発生は、起動オン／オフ情報に基づいて検出できる。
【０１０１】
気象情報取得部９２は、自車の現在位置における気象を表す気象情報を取得する。気象情報取得部４２は、気象データベース９９から自車の乗車位置における気象情報を取得する。気象情報取得部９２は、例えば、乗車イベント検出部９１による乗車イベントが検出されると、乗車位置における気象情報を取得する。
【０１０２】
判定部９４は、気象情報取得部９２が取得した気象情報に基づいて、持ち込み水分量が所定レベルを超えるか否かを判定する。判定方法の基本的な考え方は、上述した実施例１による判定部４４と同一であり、詳細な説明は省略する。
【０１０３】
判定部９４は、空調装置１０の制御に関する制御情報である換気促進サービスフラグの状態を変更する。換気促進サービスフラグの状態は、"０"及び"１"間で変更される。換気促進サービスフラグの状態は、サーバ９０の記憶部（例えばＲＡＭ１２など）に保持される制御情報である。尚、特許請求の範囲の請求項２及び８の「制御情報」の一例は、実施例２における換気促進サービスフラグの状態である。判定部９４は、持ち込み水分量が所定レベルを超えると判定すると、換気促進サービスフラグを"１"にセットする。換気促進サービスフラグの初期値は、"０"である。判定部９４は、換気促進サービスフラグを"１"にセットすると、その後、所定条件（以下、「フラグ解除条件」と称する）が成立するまで、換気促進サービスフラグを"１"に維持する。判定部９４は、フラグ解除条件が成立すると、換気促進サービスフラグを"０"にリセットする。フラグ解除条件の基本的な考え方は、上述した実施例１による判定部４４が用いるリセット条件と同一であり、詳細な説明は省略する。フラグ解除条件は、例えば、直近に持ち込み水分量が所定レベルを超えると判定した時刻を基準として、該時刻からの経過時間が所定時間Ｔｐになった場合に成立する。フラグ解除条件の他の例は後述する。
【０１０４】
判定部９４は、換気促進サービスフラグが"１"であるときセット信号を、換気促進サービスフラグが"０"であるときリセット信号を、それぞれ、通信装置６０を介して自車の通信モジュール８２に送信する。実施例２では、一例として、判定部９４は、乗車イベント検出時に、初回の判定処理の結果に応じてセット信号又はリセット信号を、通信装置６０を介して自車の通信モジュール８２に送信する。また、判定部９４は、自車の作動中において、換気促進サービスフラグを"１"から"０"にリセットした場合、リセット信号を、通信装置６０を介して自車の通信モジュール８２に送信する。
【０１０５】
地図照合部９６は、走行履歴データ送信部４３から受信する走行情報を、地図データベース９７内のデータと照合する。
【０１０６】
地図データベース９７は、全国の地図データを蓄積する。走行履歴データベース９８は、自車を含む各種車両から受信した走行情報や起動オン／オフ情報を蓄積する。図１１Ａには、走行履歴データベース９８内の走行情報のデータの一例が概念的に示される。図１１Ａには、ある走行情報ＩＤ＝ｊに関するデータが示されている。走行情報ＩＤは、トリップ毎に付与される。図１１Ｂには、走行履歴データベース９８内の起動オン／オフ情報のデータの一例が概念的に示される。図１１Ｂには、複数の走行情報ＩＤに関するデータが示されている。尚、図１１Ａ及び図１１Ｂにおいて、"＊＊"は、対応する何らかの情報があることを意味する。
【０１０７】
気象データベース９９は、全国の気象情報を蓄積する。例えば、気象データベース９９は、一定期間分の気象情報を蓄積する。尚、気象データベース９９が蓄積する気象情報は、上述した実施例１による気象情報取得部４２が取得する気象情報と同じであってもよいが、より詳しい情報であってもよい。尚、気象データベース９９内の気象情報の生成源は、任意であり、例えばサーバ９０とは別の気象情報サーバ等であってよい。
【０１０８】
上述した空調制御システム１Ａによれば、上述した空調制御システム１と同様の効果が得られる。即ち、持ち込み水分量が所定レベルを超えると判定された場合、換気促進サービスフラグが"１"にセットされる。換気促進サービスフラグが"１"にセットされると、セット信号が自車に送信され、高換気フラグが"１"にセットされる。高換気フラグが"１"にセットされると、制御部４６Ａは、上述の第２制御方法に基づいて、空調装置１０を制御する。従って、上述した空調制御システム１Ａによれば、持ち込み水分量に応じて、空調装置１０の換気能力を高くすることができる。また、空調制御システム１Ａによれば、高換気フラグが"１"にセットされない場合には、第１制御方法が用いられ、第２制御方法に比べて空調装置１０の換気能力が低くなるので、換気損失を低減できる。このようにして、上述した空調制御システム１Ａによれば、換気損失を低減しつつ、持ち込み水分に起因した窓の曇りを低減できる。
【０１０９】
次に、図１２乃至図１４を参照して、空調制御システム１Ａの幾つかの動作例について説明する。
【０１１０】
図１２は、車載装置７の制御装置４０Ａにより実行される処理の一例を示す概略フローチャートである。図１２に示す処理は、例えば、起動スイッチがオンされたときに起動され、自車の作動中に、所定周期毎に実行される。
【０１１１】
ステップＳ１１００では、フラグ設定部４５は、起動スイッチがオフされたか否かを判定する。判定結果が"ＹＥＳ"の場合は、ステップＳ１１０４に進み、それ以外の場合（即ち起動スイッチがオン状態である場合）は、ステップＳ１１０６に進む。
【０１１２】
ステップＳ１１０４では、走行履歴データ送信部４３は、起動オン／オフ情報（ここでは、起動オフ情報）をサーバ９０に送信する。尚、この処理が終了すると、次の起動スイッチのオンイベントまで図１２に示す処理は終了となる。
【０１１３】
ステップＳ１１０６では、フラグ設定部４５は、今回の処理周期が起動後の初回であるか否かを判定する。判定結果が"ＹＥＳ"の場合は、ステップＳ１１０７に進み、それ以外の場合は、ステップＳ１１０８に進む。
【０１１４】
ステップＳ１１０７では、走行履歴データ送信部４３は、起動オン／オフ情報（ここでは、起動オン情報）をサーバ９０に送信する。
【０１１５】
ステップＳ１１０８では、走行履歴データ送信部４３は、走行情報をサーバ９０に送信する。
【０１１６】
ステップＳ１１１０では、フラグ設定部４５は、タイマをセットする。タイマは、セット後、所定時間Ｔｔでタイムアウトする。所定時間Ｔｔは、例えば、サーバ９０が乗車イベントを検出（例えば図１３のステップＳ１２０２参照）してからセット信号／リセット信号を送信（例えば図１３のステップＳ１２１０／Ｓ１２１１参照）し該セット信号／リセット信号を自車が受信する（例えば図１２のステップＳ１１１２参照）までに要する時間に対応する。
【０１１７】
ステップＳ１１１１では、フラグ設定部４５は、タイマがタイムアウトしたか否かを判定する。判定結果が"ＹＥＳ"の場合は、ステップＳ１１３０に進み、それ以外の場合は、ステップＳ１１１２に進む。
【０１１８】
ステップＳ１１１２では、フラグ設定部４５は、セット信号又はリセット信号をサーバ９０から受信したか否かを判定する。判定結果が"ＹＥＳ"の場合は、ステップＳ１１１４に進み、それ以外の場合は、ステップＳ１１１１に戻る。
【０１１９】
ステップＳ１１１４では、フラグ設定部４５は、受信した信号がセット信号であるか否かを判定する。判定結果が"ＹＥＳ"の場合は、ステップＳ１１１６に進み、それ以外の場合（即ち受信した信号がリセット信号である場合）は、ステップＳ１１２４に進む。
【０１２０】
ステップＳ１１１６では、フラグ設定部４５は、高換気フラグを"１"にセットする。
【０１２１】
ステップＳ１１２２では、フラグ設定部４５は、リセット信号をサーバ９０から受信したか否かを判定する。判定結果が"ＹＥＳ"の場合は、ステップＳ１１２４に進み、それ以外の場合は、ステップＳ１１３０に進む。
【０１２２】
ステップＳ１１２４では、フラグ設定部４５は、高換気フラグを"０"にリセットする。
【０１２３】
ステップＳ１１３０では、制御部４６Ａは、現在の高換気フラグの状態に応じて空調装置１０を制御する。この制御方法については、上述のとおりである。
【０１２４】
図１２に示す処理によれば、自車の起動スイッチがオフからオンになる毎に、サーバ９０からのセット信号又はリセット信号が自車で受信され、受信された信号（セット信号又はリセット信号）に応じて空調装置１０の換気能力を切り替えることができる。また、サーバ９０からのセット信号の受信に起因して空調装置１０の換気能力を高めた状態において、サーバ９０からリセット信号が自車で受信された場合には、空調装置１０の換気能力を高めた状態を解除できる。
【０１２５】
図１３は、サーバ９０により実行される処理の一例を示す概略フローチャートである。図１３に示す処理は、例えば、常時、所定周期毎に実行される。
【０１２６】
ステップＳ１２０２では、乗車イベント検出部９１は、乗車イベントがあったか否かを判定する。判定方法は上述のとおりである。判定結果が"ＹＥＳ"の場合は、ステップＳ１２０４に進み、それ以外の場合は、ステップＳ１２１２に進む。
【０１２７】
ステップＳ１２０４では、気象情報取得部９２は、気象データベース９９から乗車位置における気象情報を取得する。尚、乗車位置は、乗車イベントが検出された端末ＩＤ（自車の端末ＩＤ）に係る起動オン／オフ情報に基づいて判断できる。
【０１２８】
ステップＳ１２０６では、判定部９４は、ステップＳ１２０４で得た気象情報に基づいて、持ち込み水分量が所定レベルを超えるか否かを判定する。この判定方法は、上述のとおりである。判定結果が"ＹＥＳ"の場合は、ステップＳ１２０８に進み、それ以外の場合は、ステップＳ１２０９に進む。
【０１２９】
ステップＳ１２０８では、判定部９４は、換気促進サービスフラグを"１"にセットする。
【０１３０】
ステップＳ１２０９では、判定部９４は、換気促進サービスフラグが"１"であるか否かを判定する。判定結果が"ＹＥＳ"の場合は、ステップＳ１２１１に進み、それ以外の場合（即ち換気促進サービスフラグが"０"である場合）は、ステップＳ１２１０に進む。
【０１３１】
ステップＳ１２１０では、判定部９４は、リセット信号を自車に送信する。
【０１３２】
ステップＳ１２１１では、判定部９４は、セット信号を自車に送信する。
【０１３３】
ステップＳ１２１２では、判定部９４は、換気促進サービスフラグが"１"であるか否かを判定する。判定結果が"ＹＥＳ"の場合は、ステップＳ１２１４に進み、それ以外の場合（即ち換気促進サービスフラグが"０"である場合）は、今回周期の処理はそのまま終了する。
【０１３４】
ステップＳ１２１４では、判定部９４は、フラグ解除条件が成立したか否かを判定する。図１３では、一例として、判定部９４は、直近に持ち込み水分量が所定レベルを超えると判定した時刻を基準として、該時刻からの経過時間が所定時間Ｔｐ（固定値）に到達した場合に、フラグ解除条件が成立したと判定する。但し、変形例では、判定部９４は、前出の図６及び図７を参照して説明した通り水分放出時間Ｔｄを算出・更新し、水分放出時間Ｔｄが所定閾値Ｔｈを超えた場合に、フラグ解除条件が成立したと判定してもよい。判定結果が"ＹＥＳ"の場合は、ステップＳ１２１６に進み、それ以外の場合は、今回周期の処理はそのまま終了する。
【０１３５】
ステップＳ１２１６では、判定部９４は、換気促進サービスフラグを"０"にリセットする。
【０１３６】
ステップＳ１２１８では、判定部９４は、自車が作動中であるか否かを判定する。自車が作動中であるか否かは、乗車イベントが検出された端末ＩＤ（自車の端末ＩＤ）に係る走行情報又は起動オン／オフ情報に基づいて判断できる。判定結果が"ＹＥＳ"の場合は、ステップＳ１２２０に進み、それ以外の場合は、今回周期の処理はそのまま終了する。
【０１３７】
ステップＳ１２２０では、判定部９４は、リセット信号を自車に送信する。
【０１３８】
図１３に示す処理によれば、自車の乗車イベント毎に、持ち込み水分量が所定レベルを超えるか否かがサーバ９０で判定される。そして、持ち込み水分量が所定レベルを超えると判定された場合に、サーバ９０からセット信号が自車に送信されることで、自車の空調装置１０の換気能力を高くすることができる。また、換気促進サービスフラグが"１"である状態において、フラグ解除条件が成立した場合には、自車が作動中又は乗車イベント検出時に自車にリセット信号を送信することで、自車の高換気フラグを"０"にリセットできる。
【０１３９】
図１４は、サーバ９０により実行される処理の他の一例（図１３に示す処理の代替例）を示す概略フローチャートである。図１４に示す処理は、例えば、常時、所定周期毎に実行される。
【０１４０】
図１４に示す処理は、図１３に示した処理に対して、ステップＳ１２０８とステップＳ１２０９の間にステップＳ１３００乃至ステップＳ１３０３が追加的に実行され、且つ、ステップＳ１２１４に代えてステップＳ１３０４乃至ステップＳ１３１４が実行される点が異なる。以下、異なる部分を説明する。
【０１４１】
図１４では、自車の走行履歴データ送信部４３からの走行情報には、自車の空調装置１０の作動状態（例えばブロア風量）及びエアコン関連センサ８６の検知値（例えば内気温度）が含まれるものとする。
【０１４２】
ステップＳ１３００では、判定部９４は、ステップＳ１２０２で検出された乗車イベントによる持ち込み水分量を表す指標値を算出する。指標値の算出方法は、図８を参照して上述したステップＳ８００と同じである。例えば、指標値は、乗員数をパラメータとして算出される。この場合、自車は、例えば起動オン／オフ情報をサーバ９０に送信する際（ステップＳ１１０７参照）に、乗員数の情報も送信する。
【０１４３】
ステップＳ１３０１では、判定部９４は、ステップＳ１３００で算出した指標値を、第２指標値の前回値に加算し、第２指標値を更新する。第２指標値は、端末ＩＤ毎に用意され、第２指標値の初期値は、０［ｇ／ｋｇ］である。第２指標値は、後述のように、自車で複数回発生しうる乗車イベントの際の持ち込み水分量における残存水分量を表す指標値である。
ステップＳ１３０２では、判定部９４は、所定閾値Ｔｈ２を、ステップＳ１３０１で更新した第２指標値に設定する。
ステップＳ１３０３では、判定部９４は、水分放出積算量Ｗ［ｇ／ｋｇ］を０に初期化する。水分放出積算量Ｗは、上述と同様、換気に起因して自車外に放出された水分量の積算値である。
【０１４４】
ステップＳ１３０４では、気象情報取得部９２は、走行履歴データベース９８から自車の現在位置を取得する。
【０１４５】
ステップＳ１３０６では、気象情報取得部９２は、気象データベース９９から自車の現在位置における気象情報を取得する。尚、ここでは、気象情報は、自車の現在位置における外気湿度の情報を含むものとする。
【０１４６】
ステップＳ１３０８では、判定部９４は、ステップＳ１３０６で得た気象情報及び走行履歴データベース９８内の走行情報等に基づいて、換気に起因した水分放出量ΔＷであって、所定時間Δｔあたりの水分放出量ΔＷを算出する。所定時間Δｔあたりの水分放出量ΔＷの算出方法は、図８を参照して上述したステップＳ８０６と同じである。但し、自車が作動中でない場合は、ブロア風量等に基づく所定時間Δｔあたりの換気風量に代えて、自然換気による所定時間Δｔあたりの換気風量（例えば試験値）が用いられる。
【０１４７】
ステップＳ１３１０では、判定部９４は、水分放出積算量Ｗの現在値に、ステップＳ１３０８で算出した水分放出量ΔＷを加算して、水分放出積算量Ｗを更新する。
【０１４８】
ステップＳ１３１２では、判定部９４は、水分放出積算量Ｗが、ステップＳ１３０２で設定した所定閾値Ｔｈ２を超えたか否かを判定する。判定結果が"ＹＥＳ"の場合は、ステップＳ１３１４に進み、それ以外の場合は、ステップＳ１３１３に進む。
ステップＳ１３１３では、判定部９４は、所定閾値Ｔｈ２から、ステップＳ１３１０で更新した水分放出積算量Ｗを差し引いて、第２指標値を更新する。
【０１４９】
ステップＳ１３１４では、判定部９４は、第２指標値を０にリセットする。
【０１５０】
図１４に示す処理によれば、自車の起動スイッチがオフからオンになる毎に、持ち込み水分量が所定レベルを超えるか否かがサーバ９０で判定される。持ち込み水分量が所定レベルを超えると判定された場合には、サーバ９０からセット信号が自車に送信され、自車の空調装置１０の換気能力を高くすることができる。また、持ち込み水分量が所定レベルを超えると判定された場合には、サーバ９０において第２指標値（自車で複数回発生しうる乗車イベントの際の持ち込み水分量における残存水分量を表す指標値）が算出（更新）され、該第２指標値が所定閾値Ｔｈ２として設定される。その後、サーバ９０において、リアルタイムに、換気に起因した水分放出量の積算値である水分放出積算量Ｗが更新され、水分放出積算量Ｗが所定閾値Ｔｈ２を超えたときに、サーバ９０からリセット信号が自車に送信される。このように、図１４に示す処理によれば、持ち込み水分量が所定レベルを超える自車の乗車イベントごとに第２指標値が更新され、その後、空調装置１０の換気に起因した水分放出量に基づいて第２指標値が更新されることで、持ち込み水分が換気により外部に放出完了となるタイミングを高精度に推定できる。これにより、指標値及び第２指標値に応じて空調装置１０の換気能力を高めた状態の継続時間を変化させて、空調装置１０の換気能力を高めた状態の継続時間の適正化を図ることができる。
【０１５１】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【０１５２】
例えば、上述した実施例１（実施例２も同様）において、雹についても雪又は雨と同様に扱ってもよい。
【符号の説明】
【０１５３】
１、１Ａ  空調制御システム
７  車載装置
８  車載電子機器群
１０  空調装置
４０、４０Ａ  制御装置
４１  乗車イベント検出部
４２  気象情報取得部
４３  走行履歴データ送信部
４４  判定部
４５  フラグ設定部
４６  制御部
６０  通信装置
８１  受信機
８２  通信モジュール
８４  操作スイッチ群
８６  エアコン関連センサ
９０  サーバ
９１  乗車イベント検出部
９２  気象情報取得部
９４  判定部
９６  地図照合部
９７  地図データベース
９８  走行履歴データベース
９９  気象データベース
１１２  コンプレッサ
１１４  コンデンサ
１１５  電動ファン
１１６  エバポレータ
１１８  冷媒通路
１１９  外内気ドア
１２０  ヒーターコア
１２２  ブロアモータ
１２４  エアミックスドア
【図１】
2017226397.tif 000003
【図２】
2017226397.tif 000004
【図３】
2017226397.tif 000005
【図４】
2017226397.tif 000006
【図５】
2017226397.tif 000007
【図６】
2017226397.tif 000008
【図７】
2017226397.tif 000009
【図８】
2017226397.tif 000010
【図９Ａ】
2017226397.tif 000011
【図９Ｂ】
2017226397.tif 000012
【図１０】
2017226397.tif 000013
【図１１Ａ】
2017226397.tif 000014
【図１１Ｂ】
2017226397.tif 000015
【図１２】
2017226397.tif 000016
【図１３】
2017226397.tif 000017
【図１４】
2017226397.tif 000018